(57)【要約】【課題】  眼科撮影装置において、簡単安価に構成でき、簡潔な操作系を有し、複数の撮影モードの切り換えの間もタイマ計時情報を必要に応じて保持できるようにする。【解決手段】  散瞳蛍光モードにおいてタイマスイッチ１０２を一定時間以上操作する、蛍光フィルタスイッチ１０３とタイマスイッチ１０２を同時に操作するなどの所定操作によりタイマ（５１）の計時動作を継続させるタイマ動作保持モードを設定する。散瞳蛍光モードで、タイマ動作保持モードが設定された場合は、別の撮影モード（散瞳カラーモードないし無散瞳モード）に切り換えられた後もタイマ（５１）の計時を継続して行なわせ、一方、タイマ動作保持モードが設定されていない場合は、別の撮影モード（散瞳カラーモードないし無散瞳モード）に切り換えられた時、タイマ（５１）を少なくとも停止させ、あるいはさらにその計時情報をリセットする。【選択図】  図４
2005160882.tif 000002
【特許請求の範囲】
【請求項１】
複数の撮影モードと、ユーザの指令によりスタートされた後の経過時間を計時するタイマ手段を有する眼科撮影装置において、
第１の撮影モードにおいて所定のタイマ動作保持操作を行なうことにより、前記タイマ手段の計時動作を継続させるタイマ動作保持モードを設定するタイマ動作保持手段を有し、
前記第１の撮影モードにおいて、前記タイマ動作保持手段によりタイマ動作保持モードが設定された場合は、タイマ手段が動作中に前記第１の撮影モード以外の第２の撮影モードに切り換えられた後も前記タイマ手段の計時を継続して行なわせ、
一方、タイマ動作保持モードが設定されていない場合は、タイマ手段が動作中に前記第１の撮影モード以外の第２の撮影モードに切り換えられた時、前記タイマ手段を少なくとも停止させ、あるいはさらにその計時情報をリセットすることを特徴とする眼科撮影装置。
【請求項２】
前記第１の撮影モードが蛍光撮影モードであることを特徴とする請求項１に記載の眼科撮影装置。
【請求項３】
前記第１の撮影モードが赤外蛍光撮影モードであることを特徴とする請求項１に記載の眼科撮影装置。
【請求項４】
前記第１の撮影モードが赤外蛍光撮影モード、前記第２の撮影モードが可視蛍光撮影モードであることを特徴とする請求項１に記載の眼科撮影装置。
【請求項５】
前記タイマ動作保持手段に対して行なわれる前記タイマ動作保持操作がタイマ手段の作動を開始させるスイッチが一定時間以上操作されることにより達成されることを特徴とする請求項１に記載の眼科撮影装置。
【請求項６】
前記タイマ動作保持手段に対して行なわれる前記タイマ動作保持操作がタイマ手段の作動を開始させるスイッチと、それ以外のスイッチが同時に操作されることにより達成されることを特徴とする請求項１に記載の眼科撮影装置。
【請求項７】
前記タイマ動作保持手段により設定されるタイマ動作保持モードが設定されている場合、タイマ動作保持モードが有効となっている旨を表示する表示手段を有することを特徴とする請求項１に記載の眼科撮影装置。
【請求項８】
前記第１の撮影モード中にタイマ動作保持モードが設定されてから第２の撮影モードに切り換えられた後、さらに前記第１の撮影モードに復帰した場合、前記タイマ手段の計時動作が継続されることを特徴とする請求項１に記載の眼科撮影装置。
【請求項９】
前記第１の撮影モード中にタイマ動作保持モードが設定されてから第２の撮影モードに切り換えられた後、前記タイマ動作保持モードが設定されたタイマとは異なる別のタイマに計時を行なわせることを特徴とする請求項１に記載の眼科撮影装置。
【発明の詳細な説明】
【技術分野】
【０００１】
本発明は、複数の撮影モードと、ユーザの指令によりスタートされた後の経過時間を計時するタイマ手段を有する眼科撮影装置に関するものである。
【背景技術】
【０００２】
眼底カメラなどの眼科撮影装置において、ユーザ（検者）の操作に応じてスタート／ストップされるタイマを設け、このタイマの計時時間を撮影画像に写し込んだり、撮影画像に関連して電子データとして記録できるようにしたものがある。このようなタイマは、たとえば蛍光撮影において蛍光剤を静脈注射した時からの経過時間を計時／記録するためなどに用いられている。
【０００３】
一方、眼科撮影装置においては、被検眼に散瞳剤を点眼する散瞳撮影モード、散瞳剤なしで赤外光で眼底を照射し、眼底観察を行って撮影を行う無散瞳撮影モード、蛍光撮影を行う場合には、可視蛍光像を撮影する可視蛍光撮影モード、赤外蛍光像を撮像する赤外蛍光撮影モードなど、複数の撮影モードを有するものが知られている。このような複数モードにおいて独立した計時を行なうためなどの目的で、複数のタイマを設けるようにした構成が知られている（下記の特許文献１）。
【特許文献１】特開平８−３２２８００号公報
【発明の開示】
【発明が解決しようとする課題】
【０００４】
蛍光撮影を行なう眼科撮影装置においては、（１）照明光路へのエキサイタフィルタの挿入、（２）タイマスタート、（３）主光路へのバリアフィルタの挿入、という手順で操作を行なう。
【０００５】
タイマの取り扱いと、先に述べたような眼科撮影装置の複数の撮影モードとの関係については種々の問題がある。たとえば、ある撮影モードにおいてタイマをスタートさせた後、一旦別の撮影モードに切り換えた場合、スタートさせたタイマをどう取り扱うかについては種々の技術思想が考えられる。
【０００６】
たとえば、タイマのスタート／ストップの操作を特定の撮影モードに限定して使用可能とする構成、特に、蛍光モードにおいてのみタイマのスタート／ストップを許容したり、あるモードでスタートさせたタイマは別の撮影モードへの切り換えが行なわれた場合には自動的にストップさせたり、リセットするような構成である。このような構成では、必要とされる撮影モードでのみタイマが使用できるので、動作が明確で操作系が簡単になり誤操作が防げるというメリットがある。また別の撮影モードに移った場合にタイマを自動でストップ／リセットさせることにより、明示的にタイマーを停止する操作を省くことができる。
【０００７】
しかしながら、現実の眼科撮影においては、蛍光撮影モードにおいてタイマをスタートさせた後、一旦別の撮影モードに切り換えて撮影を行ない、また蛍光撮影モードに戻って最初の目論見通り先にスタートさせておいたタイマの計時時間を用いて蛍光撮影を行ないたいというような需要が発生する場合が考えられるが、特定のモード以外への切り換えによって自動的にストップ／リセットさせる構成では、このようなユーザの需要に応えることができない。
【０００８】
一方で、前述のように別のモードに移行した時点でタイマーが自動で停止しない構成ではユーザはタイマをスタートさせた場合必ずタイマを停止する操作を行なわなければならず、通常の使用時に不便を生じる。
【０００９】
先の特許文献１に示されるように複数のタイマを設けてモードなどに応じて使い分ける方式は、上記のような不具合をある程度解決できるものと考えられるが、このように複数のタイマおよびその表示手段を独立して設けるのは装置を複雑高価にする問題があり、また操作方法が煩雑で判りづらくなる、あるいは意図しているものと異なる別のタイマ表示を見間違える、などの問題がある。
【００１０】
本発明の課題は、上記の問題に鑑み、眼科撮影装置において、簡単安価に構成でき、簡潔な操作系を有し、複数の撮影モードの切り換えの間もタイマ計時情報を必要に応じて保持できるようにすることにある。
【課題を解決するための手段】
【００１１】
上記課題を解決するため、本発明においては、複数の撮影モードと、ユーザの指令によりスタートされた後の経過時間を計時するタイマ手段を有する眼科撮影装置において、第１の撮影モードにおいて所定のタイマ動作保持操作を行なうことにより、前記タイマ手段の計時動作を継続させるタイマ動作保持モードを設定するタイマ動作保持手段を有し、前記第１の撮影モードにおいて、前記タイマ動作保持手段によりタイマ動作保持モードが設定された場合は、タイマ手段が動作中に前記第１の撮影モード以外の第２の撮影モードに切り換えられた後も前記タイマ手段の計時を継続して行なわせ、一方、タイマ動作保持モードが設定されていない場合は、タイマ手段が動作中に前記第１の撮影モード以外の第２の撮影モードに切り換えられた時、前記タイマ手段を少なくとも停止させ、あるいはさらにその計時情報をリセットする構成を採用した。
【発明の効果】
【００１２】
上記構成により、本発明では、簡単安価に構成でき、簡潔な操作系により操作でき、複数の撮影モードの切り換えの間もタイマ計時情報を必要に応じて保持できる優れた眼科撮影装置を提供することができる。
【発明を実施するための最良の形態】
【００１３】
以下、本発明を採用した眼科撮影装置として、蛍光撮影モードを有する眼底カメラの構成を例示する。
【実施例１】
【００１４】
図１は本発明を採用した眼底カメラの構成を示している。図１において、ハロゲンランプなどの観察用光源１からの光束は、凹面鏡２で集光されたあと、撮影用光源であるフラッシュランプ３、コンデンサーレンズ４を経てミラー５で反射された後、リレーレンズ２０、２１を通過して穴あき全反射ミラー２２で反射され、この全反射ミラー２２で反射された光束は対物レンズ２３により被検眼Ｅの瞳Ｅｐで結像された後、眼底Ｅｒに入射する。
【００１５】
この眼底照明光学系の光路には、無散瞳時に、赤外透過フィルタ６が観察用光源１の後に挿入され、また照明光学系には、複数のリングスリット１１〜１３を切り替えることができるターレット円盤１０と、複数の照明用フィルタ１６〜１８を切り替えることができるターレット円盤１５が設けられている。
【００１６】
ターレット円盤１０は回転式で、周囲部分に標準リングスリット（第１のリング状絞り）１１、小瞳孔用のリングスリット（第２のリング状絞り）１２、大リングスリットである蛍光用リングスリット（第３のリング状絞り）１３が配列され、円盤を回転させることにより、そのいずれかのリングスリットを、その中心が照明光学系の光軸と一致するように光軸に挿入できるようになっている。
【００１７】
照明光学系の光路に挿入されるこれらのリングスリット１１〜１３は、ほぼ被検眼Ｅの瞳Ｅｐの位置に結像され、リング状の開口部を介して照明光が入射され、それにより眼底が均一に照明される。また、このとき眼底からの有害な反射光が各リングスリットの円形遮光板の像により遮光される。標準のリングスリット１１は、通常使用されるリングスリットで、小瞳孔用のリングスリット１２は、無散瞳モードでの撮影や、被検者の散瞳状態が十分ではないとき、あるいは被検者が子供のような、いわゆる小瞳孔に対して使用されるもので、標準のリングスリットよりも外径を小さくするとともに、内径も小さくして照明光の減少を防いでいる。さらに、蛍光用リングスリット１３は、主に赤外蛍光撮影のときに用いられるもので、照明光を多く入射させるために、標準リングスリット１１よりも外径が大きく、また内径は小さくなっている。なお、可視蛍光撮影の時は、通常標準リングスリット１１が用いられるが、光量が要求される場合には、大リングスリットである蛍光用リングスリット１３を用いることができる。
【００１８】
また、リングスリットを切り替えるターレット円盤１０の背後には、スルーフィルタ１６、４５０ｎｍから５２０ｎｍの青色光束を通過させる可視蛍光用エキサイタフィルタ１７、７００ｎｍから８００ｎｍの赤外光を通過させる赤外蛍光用エキサイタフィルタ１８を配置したターレット円盤１５が設けられている。ターレット円盤１５が回転すると、いずれかの照明光用フィルタが照明光学系の光路に挿入できるようになっており、スルーフィルタ１６の場合には、すべての光束を通過させることができる。一方、可視蛍光用エキサイタフィルタ１７は、可視蛍光撮影時に挿入され、また赤外蛍光用エキサイタフィルタ１８は、赤外蛍光撮影時に光路に挿入され、赤外域のみの光を透過させる。
【００１９】
被検眼Ｅの眼底Ｅｒからの反射光は、再び瞳Ｅｐの中心部を通過して対物レンズ２３を介して受光され、穴あき全反射ミラー２２の穴を通過し、撮影光学系の光路に配置された撮影絞り２４、フォーカスレンズ２５、２６、結像レンズ２７を通過してリターンミラー３０（第１のリターンミラー）に入射する。結像レンズ２７は、倍率の異なる結像レンズ２８と交換でき、これにより変倍機構を構成している。また、この撮影光路で撮影絞り２４とフォーカスレンズ２５の間に、可視蛍光撮影時、眼底からの可視蛍光を透過させるためにバリアフィルタ（撮影用フィルタ）４２が挿入できるようになっている。
【００２０】
また、撮影絞り２４とフォーカスレンズ２５の間には、被検眼の視度補正を行なうため、異なる視度補正力を有する複数枚のレンズからなる視度補正レンズ２９のうち後述の操作パネル（図４、図６）の操作により選択されたものを適宜挿入できるようになっている。
【００２１】
リターンミラー３０で反射された眼底からの光束は、リターンミラー３１（第２のリターンミラー）で反射され肉眼観察光学系を構成する接眼レンズ（ファインダ）３２に入射するので、検者は接眼レンズ３２を介して眼底像を観察することができる。また、赤外透過フィルタ６を挿入し、リターンミラー３１が跳ね上がって光路より離脱すると、眼底からの光束はリターンミラー３３（第３のリターンミラー）により反射されて赤外光用観察光学系に入射する。この赤外光用観察光学系は、赤外光に感度を有する赤外ＣＣＤ（赤外光用電子撮像ユニット）３５を有し、これにより撮像された赤外眼底像は、制御部３９を介してモニタ４０に表示される。この撮像ユニット３５は、眼底観察中の画像を撮像するので、モニタ４０には、眼底観察中に撮像される眼底の赤外動画像が表示され、検者は眼底像をモニタで観察しながら、アライメントや焦点合わせを行うことができる。
【００２２】
また、リターンミラー３１とリターンミラー３３間の光路には、赤外蛍光撮影時、８２０ｎｍから９００ｎｍの赤外光を透過させる赤外蛍光用バリアフィルタ（撮影用フィルタ）４３が挿入できるようになっている。
【００２３】
リターンミラー３３が跳ね上がって光路から離脱すると、眼底からの光束は、ダイクロイックミラー３４に入射し、この光学素子により可視光と赤外光が分離される。可視光はダイクロイックミラー３４で反射されて可視光に感度を有するカラーＣＣＤ（可視光用電子撮像装置）３６に入射し、一方、赤外光は、ダイクロイックミラー３４を透過して赤外光に感度を有する赤外ＣＣＤ（赤外光用電子撮像装置）３７に入射する。カラーＣＣＤ３７で撮像された眼底像は、ダイクロイックミラー３０で一回だけ反射された像であるので、赤外ＣＣＤ３７で撮像された眼底の反転像となっている。従って、画像反転回路３８を設け、この画像反転回路３８により、赤外ＣＣＤ３７からの像を反転処理して観察画像と撮影画像の上下が一致するように画像処理する。これらの撮像ユニット３６、３７は撮影時フラッシュランプ３の発光により得られる眼底像を撮像するので、モニタ４０には、制御部３９を介して眼底の静止画像が表示される。なお、図１には、図示されていないが、記録装置が設けられ、撮像ユニット３６、３７で撮像された眼底画像が記録装置に記録できるようになっている。
【００２４】
また、リターンミラー３０が跳ね上がって光路から離脱する時には、眼底画像が３５ｍｍフィルムのような写真フィルム４４に撮影できるようになっている。この写真フィルムの代わりにカラーＣＣＤ３６と同等な撮像ユニットを用いて眼底像を撮影することもできる。
【００２５】
制御部３９はマイクロプロセッサなどから構成され、ＲＯＭ５４に格納された制御プログラムにしたがって装置全体の動作を制御する。制御部３９にはタイマ５１、および後述のように表示器および操作スイッチなどから構成された操作部５２が接続されている。
【００２６】
本実施例の場合、タイマ５１は単一のタイマ素子であり、システムクロックを所定の分周比で分周することなどによりスタート後の経過時間を計時する。計時情報は投影／表示制御回路５３の制御により操作部５２に設けられた表示手段（後述）に表示し、また、不図示の投影回路やスーパーインポーズ回路を用いて撮影（観察）画像中に写し込まれる（あるいはデータファイルに撮影画像に関連して記録される）。なお、後述の実施例２のように複数の（可視／赤外）蛍光モードを用いる場合に、さらにタイマ５１とは別に動作可能なタイマ５５を設けることができる。
【００２７】
操作部５２はユーザ（検者）が観察／撮影動作全般を制御するために用いられる。図３および図４は本実施例の操作部５２を構成する操作パネルの構成を示している。本実施例では説明を容易にするため、操作パネルを図３および図４に示した２枚に分割した構成を示しているが、もちろん図３および図４に示した構成は１枚の操作パネルにまとめることもできる。
【００２８】
図３の操作パネルは、図１のタイマ５１の計時情報を表示するＬＣＤ、ＬＥＤなどの表示素子からなるタイマ表示部１１１、後述のタイマ制御の状態（タイマ保持モードの状態など）を表示するため点灯状態を複数の表示状態に切り換えられるよう構成されたＬＥＤ１１２、カメラ切換スイッチ１１３、撮影光量調節ダイヤル１１４、観察光量調節ダイヤル１１５を有している。このうち、カメラ切換スイッチ１１３は主に３５ｍｍフィルムの撮影系統と、ＣＣＤ３５〜３６の系統の切り換えを行なうためのものである。たとえば、カメラ切換スイッチ１１３を図の下側に切り換えた時、その時の撮影モードにおいて可能な場合３５ｍｍフィルムの撮影を行なえるように各ミラー類が制御され、カメラ切換スイッチ１１３を図の上側に切り換えた時はその時の撮影モードにおいて使用すべきＣＣＤ３５〜３７が用いられるよう各ミラー類が制御される。
【００２９】
図４の操作パネルには、散瞳蛍光モードを指定するための散瞳蛍光スイッチ１０１、タイマ制御用のタイマスイッチ１０２、蛍光フィルタ制御用の蛍光フィルタスイッチ１０３、散瞳カラー（非蛍光）モードを指定するための散瞳カラースイッチ１０４、無散瞳モード（蛍光／非蛍光）モードを指定するための無散瞳スイッチ１０５が設けられている。
【００３０】
散瞳蛍光スイッチ１０１は、散瞳蛍光モードを指定するスイッチであるが、本実施例では散瞳蛍光スイッチ１０１を操作すると散瞳蛍光モードに入り、このとき同時に照明光学系に可視エキサイタフィルタ１７が挿入される（赤外エキサイタフィルタ１８を用いる例については実施例２で示す）。
【００３１】
蛍光フィルタスイッチ１０３は、蛍光フィルタ（特にバリアフィルタ）の挿入を制御するためのものである。本実施例では、上記のように散瞳蛍光スイッチ１０１の操作により散瞳蛍光モードに入った後、蛍光フィルタスイッチ１０３を操作すると、バリアフィルタ４２（可視）またはバリアフィルタ４３（赤外）が挿入される。また、本実施例では、蛍光フィルタスイッチ１０３は後述のタイマ保持モード制御にも用いられる。
【００３２】
また、タイマスイッチ１０２はタイマ５１のスタート／ストップを所定の操作方式、たとえばトグル操作によって指定できるものである。このタイマ操作は特定のモード、本実施例では無散瞳蛍光撮影、可視または赤外の蛍光撮影など「蛍光」モードのみにおいて許容し、他のモードでは無効とする。
【００３３】
なお、本実施例では、後述のように蛍光フィルタスイッチ１０３とタイマスイッチ１０２を組合せて操作することにより、タイマ保持モード制御を行なうことができる。
【００３４】
また、図４の操作パネルには小瞳孔のリングスリット（１２）を選択するためのスイッチ、被検眼の視度に応じて前述の視度補正レンズ２９の選択（不使用）を行なうためのスイッチ、被検眼の視線誘導などを行なうための不図示の固視灯を操作するためのスイッチが設けられている。
【００３５】
以上のように構成された眼科撮影装置では、散瞳撮影、無散瞳撮影、可視蛍光撮影、赤外蛍光撮影の各撮影モードでの撮影が可能であり、通常のカラー撮影は散瞳撮影あるいは無散瞳撮影で行われる。
【００３６】
図２は各撮影モードと、各撮影モードで用いられるリングスリット、エキサイタフィルタ、バリアフィルタ、観察手段、撮影手段の組合せを示している。図２では、特に小瞳孔リングスリット１２を用いる場合のセッティングと他のリングスリットを用いる場合を区別して図示しているが、もちろん小瞳孔リングスリットを実装しない製品においてはこのような動作の切り分けは必要ない。なお、図１および図２に示したような小瞳孔リングスリットを含む複数のリングスリットを切り換えて用いる技術は本出願人が特願２００３−１０９６９１号として既に出願しているものである。
【００３７】
また、図２には、後述のタイマ制御に関連する点としてタイマの操作および表示の可／不可を示してある。本実施例の基本的なタイマ制御では、図２に示すように散瞳蛍光ないし赤外蛍光など「蛍光」モードのみにタイマの動作を限定する。これ以外のモードではタイマスイッチ１０２の操作は無効とし、タイマ計時情報の表示（タイマ表示部１１１の表示ないし観察光学系への写し込みやモニタ４０への表示など）は行なわない（「なし」）ように制御する。
【００３８】
なお、図２の赤外蛍光撮影モードは図４のユーザーインターフェースでは直接選択することができない。赤外蛍光撮影モードにおける制御については、後述の実施例２で説明する。
【００３９】
次に上記構成における動作および制御につき説明する。
【００４０】
まず最初に散瞳撮影モード（カラー非蛍光）の場合を例として、光学系全体の動作を説明する。散瞳撮影モードは図４の散瞳カラースイッチ１０４を操作することにより指定する。この「散瞳カラー」モードでは、蛍光撮影を行なわないので図２に示したようにタイマスイッチ１０２によるタイマ５１の操作は無効化される。
【００４１】
散瞳撮影モードの場合には、被験者に散瞳剤が点眼される。このとき赤外透過フィルタ６は光路から離脱される。またリングスリットとしては、通常の場合は標準リングスリット１１が、また小瞳孔の場合は、小瞳孔用リングスリット１２が選択されて光路に挿入される。また照明用フィルタとしてはスルーのフィルタ１６が選択されて光路に挿入される。バリアフィルタ４２、４３は蛍光撮影のためのものであるので、光路から離脱されており、リターンミラー３０、３１、３３は図示の位置を占めている。
【００４２】
観察用光源１からの光束は、ミラー５で反射された後、標準リングスリット１１（あるいは小瞳孔用リングスリット１２）、スルーのフィルタ１６、リレーレンズ２０、２１を通過して穴あき全反射ミラー２２で反射されて対物レンズ２３に入り、眼底Ｅｒを照明する。被検眼Ｅの眼底Ｅｒからの反射光は、対物レンズ２３、穴あき全反射ミラー２２、撮影絞り２４、フォーカスレンズ２５、２６、結像レンズ２７を通過してリターンミラー３０、３１を介して接眼レンズ３２に入射する。それにより検者はファインダで眼底を観察できるので、アライメント、焦点合わせなどの位置合わせを行うことができる。
【００４３】
アライメント、焦点合わせが完了すると、シャッターボタン（不図示）を操作する。それに連動して、フラッシュランプ３が発光し、そのときリターンミラー３０が光路から離脱するので、眼底をフィルム４４（あるいはカラーＣＣＤ）などにカラー撮影することができる。なお、眼底の観察には、接眼レンズ３２によらず、赤外観察もできるので、そのときは赤外透過フィルタ６が挿入されるとともにリターンミラー３１が光路から離脱され、眼底像が赤外ＣＣＤ３５により動画撮像される。眼底像は、制御部３９を介してモニタ４０に表示されるので、検者はモニタ４０を介して眼底を観察し、アライメントや焦点合わせを行うことができる。
【００４４】
次に散瞳蛍光撮影モードにつき、タイマ制御も含め、図４のユーザーインターフェースと図５に示した制御手順を参照して説明する。図５の制御手順は制御部３９の制御プログラムとしてＲＯＭ５４に格納しておく。
【００４５】
散瞳蛍光撮影モードにつき、撮影を行う際の通常動作は散瞳蛍光スイッチ１０１を押して散瞳蛍光撮影モードに入る（ステップＳ１）。このとき散瞳蛍光スイッチ１０１の押下に応じて照明光学系に可視エキサイタフィルタ１７が挿入される。
【００４６】
続いて、蛍光剤の静脈注射を行ない、タイマスイッチ１０２を押してタイマ５１をスタートさせ（ステップＳ２）、蛍光フィルタスイッチ１０３を操作してバリアフィルタ４２を挿入すれば（ステップＳ３）、この状態において不図示のシャッタボタンにより撮影を行なうことができる。
【００４７】
この散瞳蛍光撮影モードから散瞳カラーモードに撮影モードを変更したい場合は散瞳カラースイッチ１０４を操作し、無散瞳モードに撮影モードを変更したい場合は無散瞳スイッチ１０５を操作する。
【００４８】
散瞳蛍光撮影モード中にこれらスイッチ１０４および１０５を押して他のモードへの切換を行なうと、先にタイマスイッチ１０２でスタートされていたタイマ５１を停止／リセットするとともに、これら散瞳カラーモードおよび無散瞳モードでは前述のようにタイマ５１の操作／表示が「無効化／なし」に制御される（図２）。その後、さらに散瞳蛍光スイッチ１０１を操作して散瞳蛍光モードに戻った場合は、タイマ５１はリセットされているので、０時間からスタートする。このように制御を行なうことにより、不要な計時情報を表示／写しこむことなく、またタイマ５１を誤操作することも防止できる。
【００４９】
また、図５では、上記のようなモード切り換えに基づくタイマ無効化制御がステップＳ５〜ステップＳ８に普通に散瞳カラースイッチ１０４により散瞳カラーモードに切り換えた場合を例として示してある。
【００５０】
すなわち、ステップＳ５で散瞳カラースイッチ１０４により散瞳カラーモードに切り換えると、ステップＳ６でタイマ５１が自動停止される（計時の停止および０時間へのリセットを行なう）。また、先に散瞳蛍光スイッチ１０１および蛍光フィルタスイッチ１０３によりそれぞれ挿入されていたエキサイタフィルタ１７およびバリアフィルタ４２は光路から除去される。
【００５１】
その後、散瞳蛍光スイッチ１０１を操作して散瞳蛍光モードに戻った場合（ステップＳ７）は、タイマ５１の操作が有効になるが、この場合、ステップＳ６により既にリセットされているのでタイマスイッチ１０２を操作した場合は誤まりなく０時間から計時がスタートする（ステップＳ８）。
【００５２】
一方、蛍光撮影を行いながら、タイマ５１の動作を保持したい場合には、特別な操作を行なう。このタイマ動作保持操作は、本実施例では蛍光フィルタスイッチ１０３を押しながら一定時間以上タイマスイッチ１０２を押すことにより行なうものとする。このように既存のスイッチの押下の組合せによりタイマ保持モードを指定できるようにすればハードウェアの変更を行なう必要がなく、簡単安価に構成できる。
【００５３】
なお、タイマ動作保持モードを設定（有効化）するためのタイマ動作保持操作としては
・蛍光フィルタスイッチ１０３を押しながらタイマスイッチ１０２を押す
・タイマスイッチ１０２を一定時間押し続ける
などのような操作方式（上記の、２スイッチの同時押しと、一定操作時間の検出の２つの条件のどちらかのみを検出する）を採用してもよい。
【００５４】
この蛍光フィルタスイッチ１０３およびタイマスイッチ１０２によるタイマ動作保持操作はステップＳ４で検出され、タイマ動作保持操作が行なわれなかった場合には、上述のステップＳ５〜Ｓ８で説明した制御を行なう。
【００５５】
図５では、ステップＳ４でタイマ動作保持操作が行なわれた時の動作をステップＳ５〜Ｓ８同様に散瞳カラースイッチ１０４が操作された場合を例に示してある。
【００５６】
すなわち、ステップＳ４で蛍光フィルタスイッチ１０３を押しながら一定時間以上タイマスイッチ１０２を押すタイマ動作保持操作が検出されるとタイマ保持モードに入る。このとき、タイマ保持モードに入ったことを、ＬＥＤ１１２の表示状態を変更（たとえば、点灯色や点滅状態への切換）することにより表示する。これにより、ユーザは明確にタイマ保持モードに入ったことを認識できる。
【００５７】
ここで散瞳カラースイッチ１０４が操作され、散瞳カラーモードが指定された場合（ステップＳ９）は、ステップＳ６とは異なり、ステップＳ１０に示すようにタイマ５１の動作、タイマ表示部１１１の表示（あるいは主光学系への写し込みやモニタ４０の表示）は継続させる。
【００５８】
そして、ステップＳ１１で再度散瞳蛍光スイッチ１０１を操作して散瞳蛍光モードに戻った場合は、ステップＳ８とは異なりタイマ５１はリセットされていないので、ステップＳ１２ではタイマ５１は先に行なった蛍光剤注射の際スタートさせた計時時間を継続してカウントしており、この計時情報を利用して撮影を行なえる。
【００５９】
なお、図５のステップＳ５〜Ｓ８、およびステップＳ９〜Ｓ１２では、散瞳蛍光モードから移行する他のモードとして散瞳カラースイッチ１０４を操作して移行する散瞳カラーモードを例示しているが、無散瞳スイッチ１０５を操作して移行する無散瞳モードの場合でも同様の制御を行なえるのはいうまでもない。
【００６０】
ステップＳ４、およびＳ９〜Ｓ１２に示したように、散瞳蛍光モードにおいて、タイマ動作保持操作を行なうことにより、他のモードへの移行操作を行なってもタイマ５１をリセットすることなく、計時時間を継続してカウントさせるようにしているので、散瞳蛍光モードとは別のモードで撮影を行った後に再び散瞳蛍光スイッチ１０１により散瞳蛍光モードに戻った場合に、先にスタートさせたタイマ５１の計時情報を利用して散瞳蛍光撮影（の続き）を行なうことができる。
【００６１】
なお、一旦指定したタイマ動作保持モードを停止（解除）したいときは、次のような制御例が考えられる。下記のようにしてタイマ動作保持モード停止（解除）した場合は、もちろんＬＥＤ１１２の表示はタイマ動作保持モードから通常モードに戻すものとする。
【００６２】
まず、散瞳蛍光モードでタイマ動作保持モードに移り、別のモード（散瞳カラーモードまたは無散瞳モード)へ移行する前にタイマ動作保持モードを解除するには、再度蛍光フィルタスイッチ１０３を押しながら一定時間以上タイマスイッチ１０２を押す動作を行なうことによりタイマ動作保持モードを解除する。これにより、その後、タイマスイッチ１０２を押すか、別のモードに移行した時点で前述と同様（ステップＳ５〜Ｓ８）にタイマーは自動的に停止される。
【００６３】
また、散瞳蛍光モードでタイマー動作保持のモードに移り、別のモード（散瞳カラーモードまたは無散瞳モード）へ移行した後でタイマ動作保持モードを解除するには、再びタイマスイッチ１０２を押した場合タイマ５１は停止し、タイマ動作保持モードも解除する。その後、散瞳カラーモードまたは無散瞳モードのように非蛍光モードにおいては、図２の原則に基づきタイマスイッチ１０２によるタイマスタートも無効化するとよい。
【００６４】
さらに、また、散瞳蛍光モードでタイマー動作保持のモードに移り、別のモード（散瞳カラーモードまたは無散瞳モード）へ移行し、再度散瞳蛍光モードに戻った後にタイマ動作保持モードを解除するには、タイマスイッチ１０２による通常のタイマ停止操作によりタイマ動作保持モードを解除する。また、さらに別のモードに移行した時点でタイマ動作保持モードの解除とタイマ停止を行なうようにしてもよい（「タイマ動作保持モード」の指定は、散瞳蛍光モード〜別モード〜散瞳蛍光モードへの復帰までの１回のサイクルについてのみ有効とし、さらに別モードに移行した場合は「タイマ動作保持モード」は解除する）。
【実施例２】
【００６５】
次に図６および図７を参照して第２の実施例につき説明する。本実施例は、赤外蛍光撮影指定可能なユーザーインターフェース（図６）を用いた場合のタイマ制御を示すものである。眼底カメラの構成は実施例１において図１および図２に示したものと同様であるものとし、また、図３の操作パネルも本実施例では用いられるものとする。
【００６６】
図６は実施例１の図４の操作パネルを置換するものとして記載されている。図６で図４と異なるのは散瞳蛍光スイッチ１０１のかわりに蛍光スイッチ２０１が設けられている点で、その他の構成は図４と同様であり、同一ないし相当部材には図４と同一符号を付してある。
【００６７】
蛍光スイッチ２０１は、２つの蛍光モード、すなわち可視蛍光（ＦＡ）／赤外蛍光（ＩＡ）を選択可能なスイッチとして構成されている。赤外蛍光撮影を行う際の通常動作は蛍光スイッチ２０１を押し、蛍光モード選択にて赤外蛍光モードを選択するが、最も簡便な蛍光モード選択方式は蛍光スイッチ２０１をトグル動作で用い、押下される毎に可視蛍光（ＦＡ）〜赤外蛍光（ＩＡ）モードのいずれかをトグル選択するものである。
【００６８】
もちろん、蛍光スイッチ２０１により可視蛍光（ＦＡ）に入った場合には可視蛍光用エキサイタフィルタ１７を光路に挿入し、赤外蛍光（ＩＡ）に入った場合には赤外蛍光用エキサイタフィルタ１８を光路に挿入する動作を行なう。
【００６９】
また、本実施例では、図１に示した第２のタイマ５５を用いる。タイマ５１は赤外蛍光モードにおいて、また、タイマ５５は、可視蛍光モードにおいてそれぞれ別々の時間情報を独立計時するように用いられる。
【００７０】
図７は、図５と同等の形式で本実施例の制御を示したものである。図７の制御手順は制御部３９の制御プログラムとしてＲＯＭ５４に格納しておく。図７では、まず赤外蛍光モードに入り、その後、他の（非蛍光）モードとして散瞳カラースイッチ１０４により散瞳カラーモードに入った場合の動作（ステップＳ２６〜Ｓ２９またはステップＳ３４〜Ｓ３７）と、蛍光スイッチ２０１を再度押して別の蛍光モードとして可視蛍光モードに入った場合（ステップＳ３０〜Ｓ３３またはステップＳ３８〜Ｓ４３）につき、タイマ動作保持モードの有無でどのような制御を行なうかを示してある。図７では図５と同様に他の（非蛍光）モードとして無散瞳モードを示していないが、この動作は散瞳カラーモードに入った場合の動作（ステップＳ２６〜Ｓ２９またはステップＳ３４〜Ｓ３７）と同等であるものとする。
【００７１】
さて、赤外蛍光撮影を行なう場合は、蛍光スイッチ２０１の操作により赤外蛍光モードに入る（ステップＳ２１、Ｓ２２）。そして蛍光剤の静脈注射を行ない、タイマスイッチ１０２を押してタイマ５１をスタートさせ（ステップＳ２３）、蛍光フィルタスイッチ１０３を操作して赤外蛍光用のバリアフィルタ４３を挿入すれば（ステップＳ２４）、この状態において不図示のシャッタボタンにより撮影を行なうことができる。
【００７２】
タイマ動作保持モードの指定は、実施例１と同様に蛍光フィルタスイッチ１０３を押しながら一定時間以上タイマスイッチ１０２を押すことにより行なうものとする。
【００７３】
ステップＳ２５では、このタイマ動作保持操作を検出し、ステップＳ３４〜Ｓ４３に示したタイマ動作保持モードの制御、またはステップＳ２６〜Ｓ３３に示した通常モード（タイマ動作非保持モード）の制御を切り換える。また実施例１と同様に、タイマ動作保持モードか通常モード（非タイマ動作保持モード）かは、ＬＥＤ１１２により表示し、ユーザに認知させるものとする。
【００７４】
ステップＳ２１〜Ｓ２４のようにして赤外蛍光モードに入っている状態で、かつ通常モード（タイマ動作非保持モード）が設定（ステップＳ２５）されている時、別モードへの切り換えを行なう、たとえば散瞳カラースイッチ１０４により（非蛍光）散瞳カラーモードに切り換えると（ステップＳ２６）、ステップＳ２７でタイマ５１が自動停止される（計時の停止および０時間へのリセットを行なう）。また、先に散瞳蛍光スイッチ１０１および蛍光フィルタスイッチ１０３によりそれぞれ挿入されていた赤外用のエキサイタフィルタ１８およびバリアフィルタ４３は光路から除去される。
【００７５】
その後、蛍光スイッチ２０１を操作して赤外蛍光モードに戻った場合（ステップＳ２８）は、タイマ５１の操作が有効になるが、この場合、ステップＳ２７により既にリセットされているのでタイマスイッチ１０２を操作した場合は誤まりなく０時間から計時がスタートする（ステップＳ２９）。
【００７６】
また、ステップＳ２１〜Ｓ２４のようにして赤外蛍光モードに入っている状態で、かつ通常モード（タイマ動作非保持モード）が設定（ステップＳ２５）されている時、蛍光スイッチ２０１を操作（ステップＳ３０）して別の蛍光モード、すなわち可視蛍光モードに入ると、この時もステップＳ３１でタイマ５１が自動停止される（計時の停止および０時間へのリセットを行なう）。また、先に散瞳蛍光スイッチ１０１および蛍光フィルタスイッチ１０３によりそれぞれ挿入されていた赤外用のエキサイタフィルタ１８およびバリアフィルタ４３は光路から除去され、かわりに可視光用のエキサイタフィルタ１７およびバリアフィルタ４２が光路に挿入される。可視蛍光モードではタイマ操作は許容されている（図２）ので、この場合、タイマスイッチ１０２を操作（ステップＳ３２）すればタイマ５１は０時間からスタートする（ステップＳ３３）。
【００７７】
一方、ステップＳ２１〜Ｓ２４のようにして赤外蛍光モードに入っている状態で、かつ先のタイマ動作保持操作によりタイマ動作非保持モードが設定（ステップＳ２５）されている時、別モードへの切り換えを行なう、たとえば散瞳カラースイッチ１０４により（非蛍光）散瞳カラーモードに切り換えると（ステップＳ３４）、タイマ５１の動作およびその計時情報のタイマ表示部１１１による表示、写し込みなどは継続させる（ステップＳ３５）。
【００７８】
その後、蛍光スイッチ２０１を操作して赤外蛍光モードに戻った場合（ステップＳ３６）は、ステップＳ２９とは異なりタイマ５１はリセットされていないので、ステップＳ３７ではタイマ５１は先に行なった蛍光剤注射の際スタートさせた計時時間を継続してカウントしており、この計時情報を利用して撮影を行なえる。
【００７９】
また、ステップＳ２１〜Ｓ２４のようにして赤外蛍光モードに入っている状態で、かつタイマ動作保持モードが設定（ステップＳ２５）されている時、蛍光スイッチ２０１を操作（ステップＳ３８）して別の蛍光モード、すなわち可視蛍光モードに入ると、赤外蛍光タイマとして用いるタイマ５１の動作は継続して行なう（ステップＳ３９）。
【００８０】
そして、可視蛍光タイマとして用いるタイマ５５は、タイマスイッチ１０２により別個にスタートさせることができるように制御し（ステップＳ４０）、もしタイマスイッチ１０２が操作された場合はタイマ５５の計時情報を新規にタイマ表示部１１１に表示（あるいは写し込み）開始する（ステップＳ４１）。このようにして、タイマ動作保持モードが設定されている場合は、可視蛍光モードにおいてはタイマ５５を独立した可視蛍光タイマとして用いて撮影を行なうことができる。
【００８１】
そして、その後、蛍光スイッチ２０１を操作（ステップＳ４２）して赤外蛍光モードに戻った場合には、タイマ５１による計時は継続しているから、タイマ表示部１１１の表示（あるいは写し込み）をタイマ５１の計時情報に切り換える。これにより、最初の蛍光剤の静脈注射時（など）にスタートさせたタイマ５１の計時情報を継続して用い、赤外蛍光モードの撮影を行なうことができる。
【００８２】
なお、図７では蛍光スイッチ２０１により赤外蛍光モードが選択されている場合の動作を説明したが、蛍光スイッチ２０１により可視蛍光モードが選択されている場合においても同様の制御を行なえるのはいうまでもない。その場合、上記の説明はステップＳ３９で継続されるタイマ５１はタイマ５５に、ステップＳ４０、Ｓ４１で新規にスタートされるタイマ５５はタイマ５１と読み換えれば通用する。
【００８３】
なお、タイマ動作保持モードの解除ないしタイマストップの操作は実施例１の終結部で述べたのと同様の操作により行なえるようにすればよい。
【００８４】
以上のように２つの実施例を示したが、いずれの実施例においても、特定操作（上記の例では蛍光フィルタスイッチ１０３を押しながら一定時間以上タイマスイッチ１０２を押す。ただし当業者において別の操作方法を採用してもよい）によりタイマ動作保持モードを有効とすることができ、このタイマ動作保持モードを有効にすれば、ある撮影モードにおいてスタートさせたタイマを、その後他の撮影モードに移行した後も継続して動作させることができ、元のモードに戻った場合に最初に開始させた計時情報を用いて撮影の続きを行なうことができる。
【００８５】
また、タイマ動作保持モードか通常モード（非タイマ動作保持モード）かをＬＥＤ１１２により明確に表示できるため、先にスタートさせたタイマが継続して走っているかどうかをユーザ（検者）は確実に認識でき、誤操作を未然に防止することができる。
【００８６】
もちろん、タイマ動作保持モードを指定しなかった場合は、従来通り、モード切換が生じた時にタイマの自動停止とリセットを行なうようにしているため、タイマの切り忘れのような誤操作を未然に防止することができる。
【００８７】
また、本発明のタイマ動作保持モードは、実施例２におけるように、可視蛍光および赤外蛍光モードにおいて計時を行なうタイマをそれぞれ設ける場合でも、最初に選択された蛍光モード用のタイマの計時を保持させるために用いることができ、その場合、タイマ動作保持操作は同一のものであってよいため、操作が複雑になる恐れもない。
【産業上の利用可能性】
【００８８】
本発明は、タイマを用いて眼科撮影を行なう種々の眼科撮影装置、特に蛍光モードのようにタイマ計時情報が重要な役割を果す種々の眼科撮影装置に適用することができる。
【図面の簡単な説明】
【００８９】
【図１】本発明を採用した眼科撮影装置の構成を示した説明図である。
【図２】図１の装置における複数の撮影モードと各撮影モードで用いられる部材を示した表図である。
【図３】図１の装置の操作パネルの構成を示した説明図である。
【図４】図１の装置の操作パネルの構成を示した説明図である。
【図５】実施例１における撮影制御、特にタイマに関する制御を示したフローチャート図である。
【図６】図１の装置の操作パネルの異なる構成を示した説明図である。
【図７】実施例２における撮影制御、特にタイマに関する制御を示したフローチャート図である。
【符号の説明】
【００９０】
Ｅ  被検眼
２３  対物レンズ
２５  フォーカスレンズ
２９  視度補正レンズ
３０  リターンミラー
３９  制御部
４０  モニタ
５１、５５  タイマ
５２  操作部
５３  投影／表示制御回路
５４  ＲＯＭ
１０１  散瞳蛍光スイッチ
１０２  タイマスイッチ
１０３  蛍光フィルタスイッチ
１０４  散瞳カラースイッチ
１０５  無散瞳スイッチ
１１１  タイマ表示部
１１２  ＬＥＤ
１１３  カメラ切換スイッチ
１１４  撮影光量調節ダイヤル
１１５  観察光量調節ダイヤル
２０１  蛍光スイッチ
【図１】
2005160882.tif 000003
【図２】
2005160882.tif 000004
【図３】
2005160882.tif 000005
【図４】
2005160882.tif 000006
【図５】
2005160882.tif 000007
【図６】
2005160882.tif 000008
【図７】
2005160882.tif 000009